(57)【要約】【課題】機器の設置位置が不適当である場合、ユーザーに対し再設置を促す無線伝送装置を提供すること。【解決手段】受信装置を接続した表示装置に撮影した画像を送信する無線伝送装置であって、画像を撮影する撮像部と、撮像部から得た画像を受信装置に送信するフェイズドアレイアンテナと、撮像部から得た画像を分析し、画像内に表示装置が存在するかどうかを判定する画像認識部と、当該無線伝送装置の設置位置の変更を通知する通知部と、画像認識部が画像内に表示装置が存在しないと判断したとき、当該無線伝送装置が最適な方向を向いていないと判断し通知部に通知させる制御部とを備え、無線伝送装置が最適な方向を向いていないと判定したときユーザーに方向変更を促すので、ユーザーは常に最適な方向で画像を送信するようになり、通信電力の消費を防ぐことになる。【選択図】図１
2011023865.tif 000002
【特許請求の範囲】
【請求項１】
受信装置を接続した表示装置に撮影した画像を送信する無線伝送装置であって、
画像を撮影する撮像部と、
前記撮像部から得た画像を前記受信装置に送信するフェイズドアレイアンテナと、
前記撮像部から得た画像を分析し、画像内に前記表示装置が存在するかどうかを判定する画像認識部と、
当該無線伝送装置の設置位置の変更を通知する通知部と、
前記画像認識部が画像内に前記表示装置が存在しないと判断したとき、当該無線伝送装置が最適な方向を向いていないと判断し前記通知部に通知させる制御部とを備えた無線伝送装置。
【請求項２】
前記受信装置の偏波面の情報を取得する無線通信チャネルインタフェースと、
前記受信装置の偏波面の情報を元に前記フェイズドアレイアンテナの偏波方向が最適かどうかを判断するプロセッサとを備え、
前記制御部は、前記プロセッサが前記フェイズドアレイアンテナの偏波方向が最適でないと判断したとき、当該無線伝送装置の偏波方向が最適な方向を向いていないと判断し前記通知部に通知させることを特徴とする請求項１に記載の無線伝送装置。
【発明の詳細な説明】
【技術分野】
【０００１】
本発明は、無線により映像と音声を伝達する機器の設置方法に関するものである。
【背景技術】
【０００２】
従来のアンテナの指向誤差を補正するために、レーザーポインタとイメージセンサを１系統とし、２系統の測定系を備えた上で、２つの測定系による測定結果に基づいてアンテナの指向誤差を補正していた（例えば、特許文献１参照）。また、適応アンテナ技術を用いて送受信アンテナの指向特性を制御しているものもある（例えば、特許文献２参照）。
【０００３】
図５は、特許文献２に記載された従来のアダプティブビームフォーミング技術を用いた、従来の適応ビームフォーミング技術を用いた無線通信システムの構成図である。従来の無線通信システムは、メディアレシーバ２００と、メディアレシーバインタフェース２０２と、送信装置２４０と、受信装置２４１と、メディアプレイヤインタフェース２１３と、メディアプレイヤ２１４と、表示装置２１５から構成されている。
【０００４】
更に、詳細に説明すると、送信装置２４０は、送信側プロセッサ２０３と、送信側ベースバンド信号処理部２０４と、送信側フェイズドアレイ適応アンテナ２０５と、送信側無線通信チャネルインタフェース２０６から構成され、そして、受信装置２４１は、受信側フェイズドアレイアンテナ２１０と、受信側ベースバンド信号処理部２１１と、受信側プロセッサ２１２と、受信側無線通信チャネルインタフェース２０９から構成される。
【０００５】
図５において、メディアレシーバ２００はソース機器より受け取ったコンテンツ２０１を送信装置２４０に対してメディアレシーバインタフェース２０２を介して伝送する。そして、送信装置２４０は、無線通信によって受信装置２４１に情報を伝送する。無線通信は、２つの無線接続を用いる。一方は、送信装置２４０が備える送信側フェイズドアレイ適応アンテナ２０５と受信装置２４１が備える受信側フェイズドアレイ適応アンテナ２１０との間において確立する無線接続であり、他方は、送信装置２４０が備える送信側無線通信チャネルインタフェース２０６と受信装置２４１が備える受信側無線通信チャネルインタフェース２０９との間において確立するバックチャネルという名称の指向特性を持たない無線通信チャネル２０７である。
【０００６】
受信装置２４１は、送信装置２４０から伝送されたコンテンツを受け取り、メディアプレイヤインタフェース２１３を介してメディアプレイヤ２１４に伝送する。最後に、メディアプレイヤ２１４は受け取ったコンテンツを再生して表示装置２１５に表示させる。
【０００７】
特許文献２では、ソース機器としてＤＶＤプレーヤー等、メディアレシーバインタフェースとしては、ＨＤＭＩケーブルを想定している。ここでは、高解像度の映像や高音質の音声の伝送を想定しており、多くの情報量を持つ信号を伝送する必要がある。このため、バックチャネルという名称の無線通信チャネルより入手した情報からフェイズドアレイアンテナの指向特性を制御し、送信装置２４０から受信装置２４１の方向に指向特性を持つ信号を出力し、あらゆる方向に信号を送信する場合と比べて機器の送信する電力を低減したり、多くの反射パスを通った信号による干渉の影響を低減させたりしている。
【先行技術文献】
【特許文献】
【０００８】
【特許文献１】特開２００３−３１５０１２号公報
【特許文献２】特表２００９−５０５５０７号公報
【発明の概要】
【発明が解決しようとする課題】
【０００９】
ところで、ムービーカメラ等のポータブル機器から出力される映像を、テレビ等の表示装置に対し、無線接続し表示することが可能となれば、接続線を都度接続する必要が無くなるため、ユーザーの利便性が高まる。この際、伝送に用いる信号の周波数帯域が高い周波数帯域になるほど、信号の波長が短くなるため、アンテナ素子のサイズを小さくすることができる。このため、小型の機器にもアンテナアレイ構成のアンテナを搭載することが可能となる。
【００１０】
前記従来の構成では、複数のアレイアンテナを機器に配置し、送信装置と受信装置の方向にアンテナのビームを集中させることで通信を行っている。このとき、アンテナ素子を集積化し、アンテナ素子部品を機器表面に実装する場合、立体形状を持つ機器のある１面にアンテナ素子を配置することが想定される。
【００１１】
しかしながら、ポータブル機器から表示装置に対して映像や音声を伝送する場合、ポータブル機器のアンテナ素子が表示装置と反対側に向いていると、アレイアンテナの制御範囲の外に接続対象機器が存在することとなり、無線通信が確立できなかったり、天井や壁面、周囲の反射物等による反射パスを利用した通信を試みようとしたりする。このとき、ポータブル機器は、より大きな電力を放射するために電力を多く消費したり、反射パスを利用した通信を行うため、直接パスによる通信と比較して通信経路が長くなることで通信品質が低下し、映像や音声が途切れやすくなったり、全く映像や音声を伝送できなくなることもある。特に、ポータブル機器が、電池で駆動されている場合には、電力の消費において使用可能時間の短縮につながる。
【００１２】
また、機器の複数面にアレイアンテナ素子を実装することも考えられるが、複数のアンテナ素子の中から、通信に最適なアンテナ素子を選択する処理が複雑になったり、複数のアンテナ素子を１つの機器に搭載するため機器のコストが高くなったりする欠点がある。
【００１３】
本発明は、前記従来の課題を解決するものであり、ポータブル機器が自ら備えたアレイアンテナ素子の設置箇所と、接続対象機器の持つアレイアンテナ素子との位置関係を検出し、機器の設置位置が不適当である場合には、ユーザーに対し機器の再設置を促す機能を提供することを目的とする。特に、ポータブル機器が、ムービーカメラ等であり、撮像手段を備える場合には、無線通信の開始時に、撮像手段にて接続先の機器の形状を認識した上で、アンテナ設置面との位置関係をもとにユーザーに適切な機器の設置を促すものである。
【課題を解決するための手段】
【００１４】
前記従来の課題を解決するために、本発明の無線伝送装置は、受信装置を接続した表示装置に撮影した画像を送信する無線伝送装置であって、画像を撮影する撮像部と、撮像部から得た画像を受信装置に送信するフェイズドアレイアンテナと、撮像部から得た画像を分析し、画像内に表示装置が存在するかどうかを判定する画像認識部と、当該無線伝送装置の設置位置の変更を通知する通知部と、画像認識部が画像内に表示装置が存在しないと判断したとき、当該無線伝送装置が最適な方向を向いていないと判断し通知部に通知させる制御部とを備え、無線伝送装置が最適な方向を向いていないと判定したときユーザーに方向変更を促す。
【００１５】
本構成によって、ユーザーは常に最適な方向で画像を送信するようになる。
【発明の効果】
【００１６】
本発明の無線伝送装置によれば、無線伝送装置が最適な方向を向いていないと判定したときユーザーに方向変更を促すので、常に最適な方向で画像を送信するようになり、通信電力を必要以上に消費せず、使用可能時間の短縮を防ぐことができる。
【図面の簡単な説明】
【００１７】
【図１】本発明の実施例１における無線伝送装置と受信装置及び表示装置との接続図
【図２】本発明の実施例１における無線伝送装置のブロック図
【図３】本発明の実施例２における無線伝送装置の設置状況のイメージ図
【図４】本発明の実施例２における無線伝送装置から放射される無線信号の偏波面の例を示す図
【図５】従来の適応ビームフォーミング技術を用いた無線通信システムの構成図
【発明を実施するための形態】
【００１８】
以下本発明を実施するための最良の形態について、図面を参照しながら説明する。
【実施例１】
【００１９】
図１は、本発明の実施例１における無線伝送装置と受信装置及び表示装置との接続図である。無線伝送装置１００は、受信装置１２０に対して無線接続により映像や音声を送信する。受信装置１２０は無線伝送装置１００より得た映像や音声を表示装置１２１に対し出力する。表示装置１２１は、受信装置１２０より入手した映像や音声を出力する。
【００２０】
図２は、本発明の実施例１における無線伝送装置１００のブロック図である。無線伝送装置１００は、操作部１０１と、制御部１０２と、焦点検出部１０３と、撮像部１０４と、センサ部１０５と、画像認識部１０６と、通知部１０７と、記録部１０８と、プロセッサ１０９と、ベースバンド信号処理部１１０と、フェイズドアレイアンテナ１１１と、無線通信チャネルインタフェース１１２とで構成されている。無線伝送装置１００は、動画や静止画を撮影する機能を備えており、撮影した映像や音声を再生する機能も有する。特に、表示装置や再生装置に対して無線通信により映像や音声出力する機能を備えるものとする。
【００２１】
図２における無線伝送装置１００の構成と動作を詳細に説明する。
【００２２】
操作部１０１は、無線伝送装置１００から、外部の機器（図１では表示装置１２０に該当する）に対して映像と音声を無線出力開始や終了するための指示を与えるためのスイッチである。
【００２３】
制御部１０２は、無線伝送装置１００に内蔵されたマイクロコンピュータである。制御部１０２は、無線伝送装置１００の持つ諸機能を制御するために、各構成と接続されている。
【００２４】
焦点検出部１０３は、制御部１０２からの指示に応じて、カメラのレンズを制御し、撮像部１０４が撮影する画像の焦点を調整する。
【００２５】
撮像部１０４は、制御部１０２からの指示に応じて、画像を撮影する。そして、画像認識部１０６に対し画像を出力する。この際、撮像部１０４が画像認識部１０６へ出力する画像は、動画であってもよいし静止画であってもよい。
【００２６】
センサ部１０５は、例えば、無線伝送装置１００の周囲の明るさを検知するセンサであり、制御部１０２に検知した情報を伝える。制御部１０２は、センサ部１０５で検出した情報を元に、撮像部１０４や焦点検出部１０３、画像認識部１０６の動作を調整する。
【００２７】
次に、画像認識部１０６は、撮像部１０４から得た画像を分析し、画像内に表示装置１２０が存在するかどうかを判定し、判定結果を制御部１０２に伝える。また、画像認識部１０６は、撮像部１０４から取得した映像内に表示装置１２０が存在するかを確認する。表示装置１２０の判断は、表示装置１２０の形状を認識してもよいし、ユーザーが操作部１０１のスイッチを操作し接続開始を指示した直後に、無線伝送装置１００から受信装置１２０に対して送信された映像が表示装置１２０に表示され、さらに表示装置１２０の表示画面が撮像部１０４にて取得されているかを判断してもよい。このとき、無線伝送装置１００から受信装置１２０に対して送信される映像は、記録部１０８に保存されたコンテンツであってもよいし、既知パターンの映像であってもよい。
【００２８】
画像認識部１０６が画像内に表示装置１２０が存在すると判断したとき、制御部１０２は無線伝送装置１００が最適な方向を向いていると判断する。逆に、画像認識部１０６が画像内に表示装置１２０が存在しないと判断したとき、制御部１０２は無線伝送装置１００が最適な方向を向いていないと判断する。
【００２９】
通知部１０７は、制御部１０２から撮影した画像内に表示装置１２０が含まれない場合には、ユーザーに無線伝送装置１００の設置位置の変更を通知する。通知部１０７は、音声による通知を行ってもよいし、ＬＥＤなどの表示装置を点灯させてもよいし、もし無線伝送装置１００があらかじめ小型の表示画面を備える場合には、表示画面上に判定結果を通知させてもよい。この際、ユーザーに対しては、無線伝送装置１００の設置位置として、例えば、撮像部１０４のレンズの方向と同一面にフェイズドアレイアンテナ１１１が設置されている場合には、「カメラのレンズをモニター画面の方向に向けてください」と指示する。
【００３０】
さらには、通知部１０７にフェイズドアレイアンテナ１１１の配置面と同一方向にレーザーポインタを照射する機能を備えた上で、レーザーポインタの光が表示装置の画面に向けて照射されるよう無線伝送装置１００の設置を促しても良い。また、無線伝送装置１００が、例えばＬＣＤ小型画面など可動部を備えている場合には、可動部にフェイズドアレイアンテナ１１１を設置し、可動部を適当な方向に向けるよう指示することも可能である。さらに、制御部１０２は、焦点検出部１０３より画像認識部１０６で認識した映像に焦点をあわせた際に、表示装置１２０と無線伝送装置１００との距離の情報を入手し、無線伝送装置１００が正しい設置方向に設置されていても、設置距離が離れていると判断した場合には、より近い位置に設置するようユーザーに通知してもよい。
【００３１】
なお、なお無線伝送装置１００が外部電源により動作している場合には、無線伝送装置１００から送信される無線信号の送信パワーが高くなっても消費電力量の増加によるバッテリー消費の加速を伴わないため、外部電源駆動の場合には、無線伝送装置１００の持つ通信範囲に応じて、表示装置１２０と無線伝送装置１００との距離を判定してもよい。例えば、無線伝送装置１００がバッテリー駆動の場合、距離の判定基準を２ｍとし、外部電源駆動の場合、距離の判定基準を５ｍとする等が考えられる。
【００３２】
そして、通知部１０７がユーザーへの通知を行った後、機器の消費電力を低減するため、制御部１０２は焦点検出部１０３や撮像部１０４およびセンサ部１０５の動作を停止させる。また、制御部１０２は、プロセッサ１０９に対し、無線通信の開始の指示を与える。プロセッサ１０９は、記録部１０８に記録された映像や音声信号を入手し、ベースバンド処理部１１０に対してベースバンド信号を出力する。例えば、ベースバンド信号とは、ＯＦＤＭ変調信号を指す。また、プロセッサ１０９は、フェイズドアレイアンテナ１１１と無線通信チャネルインタフェース１１２に対し、制御信号の受け渡しを行い、フェイズドアレイアンテナ１１１のビームの操作を行う。
【００３３】
かかる構成によれば、画像認識部が撮像部から得た画像内に表示装置が存在するかどうかを判定することにより、無線伝送装置が最適な方向を向いているかどうかを判断することとなり、無線伝送装置が最適な方向を向いていない場合は方向変更を促すことができる。
【００３４】
なお、本実施例では、画像認識部１０６による判定結果を制御部１０２を介して通知部１０７からユーザーに通知するものとして記載したが、例えば、機器の接続先である表示装置１２０の表示画面上に、判定結果を表示してもよい。
【実施例２】
【００３５】
図３は、本発明の実施例２の無線伝送装置の設置状況のイメージ図である。
【００３６】
図３において、図１および図２と同じ構成要素については同じ符号を用い、説明を省略する。図３において、図１と同様に無線伝送装置１００から受信装置１２０に無線送信し、表示装置１２１に映像を表示する。また、実施例２においては、無線伝送装置１００の上面に、フェイズドアレイアンテナ１１１が配置されているものとして説明を行う。
【００３７】
図３のように、無線伝送装置１００の上面にフェイズドアレイアンテナ１１１が配置され、さらにフェイズドアレイアンテナ１１１の偏波面が水平または垂直偏波のいずれか一方である場合には、無線通信装置１００と受信装置１２０との設置位置により、互いの送信する信号の偏波面が９０度交差する場合が起こりうる。これは、図４に示すように、フェイズドアレイアンテナ１１１が無線通信装置１００の上面にあり、無線通信装置１００の前後方向に向かって送信信号の偏波面が設定されている場合には、無線通信装置１００の正面方向からは上下方向の偏波面、無線通信装置１００の側面からは左右方向の偏波面を持つ信号が出力される。
【００３８】
このため、フェイズドアレイアンテナ１１１が無線通信装置１００の上部に設置される場合には、受信装置１２０が無線通信装置１００の正面方向または後方に配置される場合と、受信装置１２０が機器の側方に配置される場合では、偏波面が９０度異なる。もし、受信装置１２０もしくは送信装置１００に設置されるフェイズドアレイアンテナの少なくとも一方に偏波面を最適な方向に変更する機能を持たなければ、無線通信装置１００と受信装置１２０が近接した位置に設置されていても、無線信号の受信性能の劣化を招くため、互いに同一の偏波面で通信を行う場合と比較してより高い送信電力を必要とする。
【００３９】
よって、無線通信装置１００は、実施例１と同様に撮像部１０４にて表示装置１２１の位置情報を取得し、さらに受信装置１２０のフェイズドアレイアンテナの偏波面の情報を無線通信チャネルインタフェース１１２により取得する。例えば、表示装置１２１に受信装置１２０が内蔵される場合には、偏波面は機器により一定の方向に保つことが可能な情報である。そして、プロセッサ１０９は、受信装置１２０の備えるフェイズドアレイアンテナの偏波方向と、無線通信装置１００が備えるフェイズドアレイアンテナの偏波方向とが異なる場合には、互いの偏波方向が同一となるように無線通信装置１００の設置位置の変更をユーザーに促す。
【００４０】
かかる構成によれば、無線通信装置が受信装置のフェイズドアレイアンテナの偏波面の情報を無線通信により取得することにより、受信装置のフェイズドアレイアンテナの偏波方向と無線通信装置が備えるフェイズドアレイアンテナの偏波方向とが最適な関係であるかどうかを判断することとなり、偏波方向の関係が最適な場合は方向変更を促すことができる。
【００４１】
なお、本実施例では、無線通信装置１００の撮像部１０４が撮影可能な視野範囲は限られるため、撮像部１０４が表示装置１２１の画面を検出できない場合には、表示装置が機器の後方に存在すると判断してもよいし、ユーザーに機器の設置位置の変更を促してもよい。
【００４２】
なお、本実施例では、図３にて図示した無線伝送装置１００、受信装置１２０および表示装置１２１の形状は一例であって、フェイズドアレイアンテナ１１１が無線伝送装置１００の下面や横面などに配置された異なる形状も想定しうる。
【産業上の利用可能性】
【００４３】
本発明にかかる無線伝送装置および方法は、無線伝送装置が自ら接続対象の受信装置の設置位置を検出し、設置位置が適当でない場合には、ユーザーに対して設置位置の変更を促し、その結果、無線伝送装置が送信する無線信号の電波の強度を低減させ、機器の消費する電力を削減することが可能になるので、バッテリー等で駆動される無線伝送装置等として有用である。
【符号の説明】
【００４４】
１００    無線伝送装置
１０１    操作部
１０２    制御部
１０３    焦点検出部
１０４    撮像部
１０５    センサ部
１０６    画像認識部
１０７    通知部
１０８    記録部
１０９    プロセッサ
１１０    ベースバンド信号処理部
１１１    フェイズドアレイアンテナ
１１２    無線通信チャネルインタフェース
１２０    受信装置
１２１    表示装置
【図１】
2011023865.tif 000003
【図２】
2011023865.tif 000004
【図３】
2011023865.tif 000005
【図４】
2011023865.tif 000006
【図５】
2011023865.tif 000007